(57)【要約】【課題】テレビジョン受像機において、リモコンを探し出して、リモコンを受像機本体に向けて、リモコンを操作する手間を省くことができるようにする。【解決手段】テレビジョン受像機１は、テレビジョン受像機１の動作を制御するＣＰＵ５４と、テレビジョン受像機１の異なる位置に設置された複数の加速度センサ１４ａ〜１４ｄとを備える。ＣＰＵ５４は、加速度センサ１４ａ〜１４ｄの検出出力に基いて、テレビジョン受像機１の叩かれた場所を判断し、テレビジョン受像機１の叩かれた場所に応じて、テレビジョン受像機１の動作を制御する。例えば、テレビジョン受像機１の電源がオフのときにテレビジョン受像機１の上部が叩かれた場合には、ＣＰＵ５４は、テレビジョン受像機１の電源をオンにし、テレビジョン信号を受信して、テレビジョン放送の映像を表示すると共に音声を出力する、という動作を実行する。【選択図】図２
2010273113.tif 000002
【特許請求の範囲】
【請求項１】
テレビジョン放送局から放送されるテレビジョン信号を受信して、テレビジョン信号に基く映像を表示すると共に、テレビジョン信号に基く音声を出力するテレビジョン受像機において、
自機の動作を制御する制御手段と、
異なる位置に設置された複数の加速度センサとを備え、
前記制御手段は、
前記複数の加速度センサの検出出力に基いて、自機の叩かれた場所を判断し、自機の叩かれた場所に応じて、自機の動作を制御する、
ことを特徴とするテレビジョン受像機。
【請求項２】
前記制御手段は、
前記複数の加速度センサの検出出力に基いて、自機の叩かれた回数をさらに判断し、自機の叩かれた場所及び叩かれた回数に応じて、自機の動作を制御する、
ことを特徴とする請求項１に記載のテレビジョン受像機。
【請求項３】
前記制御手段は、
前記複数の加速度センサの検出出力に基いて、自機の叩かれた強さをさらに判断し、自機の叩かれた場所及び叩かれた強さに応じて、自機の動作を制御する、
ことを特徴とする請求項１に記載のテレビジョン受像機。
【発明の詳細な説明】
【技術分野】
【０００１】
本発明は、テレビジョン放送局から放送されるテレビジョン信号を受信して、テレビジョン信号に基く映像を表示すると共に、テレビジョン信号に基く音声を出力するテレビジョン受像機に関するものである。
【背景技術】
【０００２】
従来から、テレビジョン受像機は、テレビジョン信号の受信やテレビジョン信号に基く映像、音声の出力等を行う受像機本体と、ユーザがテレビジョン受像機（受像機本体）の各種動作（電源のオン、オフや、受信チャンネルの切換え、音量の調整等）を制御するために操作する、受像機本体とは別体に構成されたリモコン（リモートコントローラ）とを備えている。このようなテレビジョン受像機では、ユーザは、テレビジョン受像機１の各種動作を制御するときに、リモコンを手に持ち、リモコンを受像機本体に向けて、リモコンの操作キーを押下操作する必要がある。
【０００３】
一方、人の腕に装着して使用される電話装置において、人の指先で物体を叩いたことを検出して、電話の送受信を行うようにしたものが知られている（例えば特許文献１参照）。また、地震などによって受像機本体が振動した場合に、自動的に、電源をオンにして、テレビジョン放送の映像を表示するようにしたテレビジョン受像機が知られている（例えば特許文献２参照）。また、パーソナルコンピュータにおいて、ユーザがパーソナルコンピュータを叩いたり、撫でたりすると、叩かれたのか撫でられたのかを判断して、判断に応じた反応を示すようにしたものが知られている（例えば特許文献３参照）。
【先行技術文献】
【特許文献】
【０００４】
【特許文献１】特開平１０−２００６１０号公報
【特許文献２】実開昭６３−１９６１７９号公報
【特許文献３】特開２００５−８４７８９号公報
【発明の概要】
【発明が解決しようとする課題】
【０００５】
ところが、上述した従来のテレビジョン受像機においては、ユーザは、テレビジョン受像機の各種動作を制御する都度、リモコンを探し出して、リモコンを手に持ち、リモコンを受像機本体に向けて、リモコンの操作キーを押下操作する必要があり、手間がかかり、不便である。なお、上述した特許文献１乃至特許文献３に開示の内容を適用したとしても、上記の問題を解決することはできない。
【０００６】
本発明は、上記課題を解決するためになされたものであり、リモコンを探し出して、リモコンを受像機本体に向けて、リモコンを操作する手間を省くことができるテレビジョン受像機を提供することを目的とする。
【課題を解決するための手段】
【０００７】
上記目的を達成するために請求項１の発明は、テレビジョン放送局から放送されるテレビジョン信号を受信して、テレビジョン信号に基く映像を表示すると共に、テレビジョン信号に基く音声を出力するテレビジョン受像機において、自機の動作を制御する制御手段と、異なる位置に設置された複数の加速度センサとを備え、制御手段は、複数の加速度センサの検出出力に基いて、自機の叩かれた場所を判断し、自機の叩かれた場所に応じて、自機の動作を制御するものである。
【０００８】
請求項２の発明は、請求項１に記載のテレビジョン受像機において、制御手段は、複数の加速度センサの検出出力に基いて、自機の叩かれた回数をさらに判断し、自機の叩かれた場所及び叩かれた回数に応じて、自機の動作を制御するものである。
【０００９】
請求項３の発明は、請求項１に記載のテレビジョン受像機において、制御手段は、複数の加速度センサの検出出力に基いて、自機の叩かれた強さをさらに判断し、自機の叩かれた場所及び叩かれた強さに応じて、自機の動作を制御するものである。
【発明の効果】
【００１０】
請求項１乃至請求項３の発明によれば、テレビジョン受像機を叩くだけで、テレビジョン受像機の各種動作を制御することができる。従って、従来のようにリモコンを探し出して、リモコンを受像機本体に向けて、リモコンを操作する手間を省くことができ、利便性が向上する。特に、狭い部屋などで、ユーザの手の届く場所にテレビジョン受像機が設置されている場合などに、より効果的である。
【００１１】
また、例えば、テレビジョン受像機の上部が叩かれると、音量を大きくすると共に、テレビジョン受像機の下部が叩かれると、音量を小さくするようにしておけば、音量の上下と叩く場所の上下とが対応することになり、ユーザは、直感的に、テレビジョン受像機の上部又は下部を叩いて、音量を調整することができ、利便性が向上する。また、例えば、テレビジョン受像機の左部が叩かれると、受信チャンネルを次に小さいチャンネルに切換えると共に、テレビジョン受像機の右部が叩かれると、受信チャンネルを次に大きいチャンネルに切換えるようにしておけば、一般的なテレビ番組表におけるチャンネルの左右の並びと叩く場所の左右とが対応することになり、ユーザは、直感的に、テレビジョン受像機の左部又は右部を叩いて、受信チャンネルを切換えることができ、利便性が向上する。
【図面の簡単な説明】
【００１２】
【図１】本発明の一実施形態に係るテレビジョン受像機の概略構成を示す斜視図。
【図２】同テレビジョン受像機の電気的ブロック構成図。
【図３】同テレビジョン受像機のテレビジョン受像機が叩かれたときの動作を示すフローチャート。
【発明を実施するための形態】
【００１３】
以下、本発明を具体化した実施形態によるテレビジョン受像機について図面を参照して説明する。図１は、本実施形態によるテレビジョン受像機の構成を示す。テレビジョン受像機１は、テレビジョン放送局から放送されるテレビジョン信号を受信して、テレビジョン信号に基く映像を表示すると共に、テレビジョン信号に基く音声を出力する機器である。このテレビジョン受像機１は、ユーザがテレビジョン受像機１を叩くことによって、テレビジョン受像機１の各種動作を行わせることができるようになっている。
【００１４】
テレビジョン受像機１は、テレビジョン信号の受信やテレビジョン信号に基く映像、音声の出力等を行う受像機本体１０と、受像機本体１０と別体に構成され、ユーザがテレビジョン受像機１の各種動作を遠隔制御するために操作するリモコン（リモートコントローラ）２０とを備える。リモコン２０は、ユーザに操作されることにより赤外線を発光し、赤外線の発光によって、ユーザによるリモコン２０の操作内容を示す操作信号を送信する。
【００１５】
受像機本体１０は、リモコン２０から発光された赤外線を受光するリモコン受光部１１と、映像を出力するための映像出力装置１２と、音声を出力するための音声出力装置１３と、テレビジョン受像機１が叩かれたことを検出するための４つの加速度センサ１４ａ、１４ｂ、１４ｃ、１４ｄと、テレビジョン受像機１を動作させるための電気回路部１５と、これらを一体的に収納、支持する筺体１６等を備える。
【００１６】
映像出力装置１２は、例えば、液晶パネルを用いた液晶ディスプレイであり、筺体１６の正面壁１６ａの中央に形成された映像出力用の開口１６ｏに臨むように、筺体１６内に収納、支持されている。音声出力装置１３は、筺体１６の右下及び左下の位置において、筺体１６内に収納、支持されている。
【００１７】
加速度センサ１４ａは、筺体１６の右上の位置において、筺体１６の正面壁１６ａの内面に接触した状態で、筺体１６内に収納、支持されている。加速度センサ１４ｂは、筺体１６の右下の位置において、筺体１６の正面壁１６ａの内面に接触した状態で、筺体１６内に収納、支持されている。加速度センサ１４ｃは、筺体１６の左上の位置において、筺体１６の正面壁１６ａの内面に接触した状態で、筺体１６内に収納、支持されている。加速度センサ１４ｄは、筺体１６の左下の位置において、筺体１６の正面壁１６ａの内面に接触した状態で、筺体１６内に収納、支持されている。すなわち、加速度センサ１４ａ〜１４ｄは、テレビジョン受像機１（受像機本体１０）内の異なる位置に設置されており、筺体１６の正面壁１６ａの異なる位置に接触している。
【００１８】
図２は、テレビジョン受像機１の電気的ブロック構成を示す。電気回路部１５は、チューナ５１と、デコーダ５２と、記憶装置５３と、テレビジョン受像機１の動作を制御するＣＰＵ５４等を備える。
【００１９】
チューナ５１は、ＣＰＵ５４による制御のもと、受信周波数がテレビジョン放送のチャンネルに対応する周波数に設定されることにより、そのチャンネル（その周波数）のテレビジョン信号を受信し、受信したテレビジョン信号を出力する。デコーダ５２は、ＣＰＵ５４による制御のもと、チューナ５１から出力されたテレビジョン信号をデコード処理して、テレビジョン信号に基く映像（テレビジョン放送の映像）の映像信号、及びテレビジョン信号に基く音声（テレビジョン放送の音声）の音声信号を出力する。
【００２０】
記憶装置５３は、テレビジョン受像機１の動作を制御するためのプログラムや各種データを記憶している。また、記憶装置５３は、ＣＰＵ５４による制御のもと、ユーザの操作によりテレビジョン受像機１に対して設定された各種設定内容を示す設定データを記憶する。
【００２１】
リモコン２０は、上述のように、赤外線の発光によって、ユーザによるリモコン２０の操作内容を示す操作信号を送信する。リモコン受光部１１は、リモコン２０から発光された赤外線を受光して、ユーザによるリモコン２０の操作内容を示す操作信号を電気信号によって出力する。映像出力装置１２は、ＣＰＵ５４による制御のもと、映像信号が供給されることにより、その映像信号による映像を表示する。音声出力装置１３は、ＣＰＵ５４による制御のもと、音声信号が供給されることにより、その音声信号による音声を出力する。また、音声出力装置１３は、ＣＰＵ５４による制御のもと、音量制御信号が与えられることにより、出力する音声の音量（出力する音声の大きさ）を調整する。
【００２２】
加速度センサ１４ａ、１４ｂ、１４ｃ、１４ｄは、各々、加速度を検出して、検出した加速度の大きさを示す加速度信号を出力する。加速度センサ１４ａ、１４ｂ、１４ｃ、１４ｄは、上述のように、テレビジョン受像機１（受像機本体１０）内の異なる位置に設置されており、筺体１６の正面壁１６ａの異なる位置に接触している。従って、ユーザによって受像機本体１０（筺体１６）が叩かれると、筺体１６が振動して、その振動による加速度（振動により周期的に変化する加速度）が加速度センサ１４ａ、１４ｂ、１４ｃ、１４ｄによって検出され、加速度センサ１４ａ、１４ｂ、１４ｃ、１４ｄから加速度信号が出力される。
【００２３】
このとき、受像機本体１０が叩かれたときの筺体１６の振動は、受像機本体１０の叩かれた場所（振動源）から周囲に伝播してゆくため、各加速度センサ１４ａ、１４ｂ、１４ｃ、１４ｄから出力される加速度信号の出力タイミングは、受像機本体１０の叩かれた場所から各加速度センサ１４ａ、１４ｂ、１４ｃ、１４ｄまでの距離に応じて、異なることになる。また、受像機本体１０が叩かれたときの筺体１６の振動は、受像機本体１０の叩かれた場所（振動源）から周囲に伝播してゆくにつれて減衰してゆくため、各加速度センサ１４ａ、１４ｂ、１４ｃ、１４ｄから出力される加速度信号は、加速度センサ１４ａ、１４ｂ、１４ｃ、１４ｄが受像機本体１０の叩かれた場所から近い位置にあるほど、大きな加速度を示すことになる。また、受像機本体１０が強く叩かれるほど、筺体１６の振動が大きくなって、その振動による加速度が大きくなるため、各加速度センサ１４ａ、１４ｂ、１４ｃ、１４ｄから出力される加速度信号は、受像機本体１０が強く叩かれるほど、大きな加速度を示すことになる。
【００２４】
ＣＰＵ５４は、記憶装置５３に記憶しているプログラムや各種データに基いて、テレビジョン受像機１の各種動作を制御する。記憶装置５３に記憶されているプログラムや各種データ、及びＣＰＵ５４等によって、制御手段が構成されている。
【００２５】
ＣＰＵ５４は、テレビジョン受像機１の各種動作として、テレビジョン受像機１の電源をオン、オフする動作、所望のチャンネルのテレビジョン信号を受信する動作、受信中のチャンネルのテレビジョン放送の映像及び音声を出力する動作、出力する音声の音量を調整する動作、メニューを表示する動作等を制御する。
【００２６】
ＣＰＵ５４は、チューナ５１の受信周波数を所望のチャンネルに対応する周波数に設定することにより、所望のチャンネルのテレビジョン信号を受信する動作を実行する。チューナ５１の受信周波数が所望のチャンネルに対応する周波数に設定されることにより、所望のチャンネルのテレビジョン信号がチューナ５１によって受信される。
【００２７】
また、ＣＰＵ５４は、チューナ５１から出力されたテレビジョン信号をデコーダ５２によりデコード処理させ、デコーダ５２から出力されたテレビジョン信号に基く映像信号及び音声信号を映像出力装置１２及び音声出力装置１３に供給することにより、受信中のチャンネルのテレビジョン放送の映像及び音声を出力する動作を実行する。デコーダ５２から出力されたテレビジョン信号に基く映像信号及び音声信号が映像出力装置１２及び音声出力装置１３に供給されることにより、受信中のチャンネルのテレビジョン放送の映像が映像出力装置１２に表示されると共に、受信中のチャンネルのテレビジョン放送の音声が音声出力装置１３から出力される。
【００２８】
また、ＣＰＵ５４は、音声出力装置１３に音量制御信号を与えることにより、出力する音声の音量を調整する動作を実行する。音量制御信号が音声出力装置１３に与えられることにより、音声出力装置１３の出力する音声の音量が調整される。また、ＣＰＵ５４は、メニューを表示するための映像信号を生成し、その映像信号を映像出力装置１２に供給することにより、メニューを表示する動作を実行する。メニューを表示するための映像信号が映像出力装置１２に供給されることにより、映像出力装置１２にメニューが表示される。
【００２９】
そして、ＣＰＵ５４は、ユーザによりリモコン２０が操作されると、その操作に応じて、テレビジョン受像機１の各種動作を制御する。すなわち、ＣＰＵ５４は、リモコン受光部１１から出力される操作信号に基いて、ユーザによるリモコン２０の操作内容を判断し、ユーザによるリモコン２０の操作内容に応じて、テレビジョン受像機１の動作を実行する。
【００３０】
また、ＣＰＵ５４は、ユーザによりテレビジョン受像機１（受像機本体１０）が叩かれると、その叩かれた場所及び叩かれた回数（所定時間（例えば１秒）内に叩かれた回数）と叩かれた強さに応じて、ユーザによりリモコン２０が操作されたときと同様に、テレビジョン受像機１の各種動作を制御する。すなわち、ＣＰＵ５４は、加速度センサ１４ａ〜１４ｄの検出出力（各加速度センサ１４ａ〜１４ｄから出力される加速度信号の示す加速度の大きさや加速度信号の出力タイミング）に基いて、テレビジョン受像機１の叩かれた場所、及び叩かれた回数と叩かれた強さを判断し、テレビジョン受像機１の叩かれた場所、及び叩かれた回数と叩かれた強さに応じて、テレビジョン受像機１の動作を実行する。このとき、ＣＰＵ５４は、テレビジョン受像機１の叩かれた場所、及び叩かれた回数と叩かれた強さに加えて、テレビジョン受像機１が叩かれたときのテレビジョン受像機１の動作状態に応じて、テレビジョン受像機１の動作を実行する。
【００３１】
本実施形態では、テレビジョン受像機１が叩かれたときにＣＰＵ５４が実行するテレビジョン受像機１の動作は、テレビジョン受像機１が叩かれたとき（叩かれる直前）の動作状態と、テレビジョン受像機１の叩かれた場所及び叩かれた回数と叩かれた強さに対応して、以下のように規定されている。
【００３２】
（１）電源がオフ（スタンバイ状態）のときにテレビジョン受像機１の上部が１回叩かれた場合→電源をオンにし、前回電源がオフにされるときに受信していたチャンネルのテレビジョン信号を受信して、そのチャンネルのテレビジョン放送の映像を表示すると共に音声を出力する。
（２）テレビジョン放送の映像の表示中にテレビジョン受像機１の上部が２回叩かれた場合→電源をオフ（スタンバイ状態）にする。
【００３３】
（３）テレビジョン放送の映像の表示中にテレビジョン受像機１の上部が所定の強さ未満の強さで１回叩かれた場合→音量を上げる。
（４）テレビジョン放送の映像の表示中にテレビジョン受像機１の下部が所定の強さ未満の強さで１回叩かれた場合→音量を下げる。
【００３４】
（５）テレビジョン放送の映像の表示中にテレビジョン受像機１の左部が１回叩かれた場合→受信チャンネルを切換えて、受信中のチャンネルの次にチャンネル番号の小さいチャンネルのテレビジョン信号を受信し、そのチャンネルのテレビジョン放送の映像を表示すると共に音声を出力する。
（６）テレビジョン放送の映像の表示中にテレビジョン受像機１の右部が１回叩かれた場合→受信チャンネルを切換えて、受信中のチャンネルの次にチャンネル番号の大きいチャンネルのテレビジョン信号を受信し、そのチャンネルのテレビジョン放送の映像を表示すると共に音声を出力する。
【００３５】
（７）テレビジョン放送の映像の表示中にテレビジョン受像機１の左部が所定の強さ以上の強さで１回叩かれた場合→テレビジョン放送の映像に替えて、メニューを表示する。
（８）メニューの表示中にテレビジョン受像機１の左部が所定の強さ以上の強さで１回叩かれた場合→メニューの表示を終了して、テレビジョン放送の映像を表示する。
【００３６】
（９）メニューの表示中にテレビジョン受像機１の上部が所定の強さ未満の強さで１回叩かれた場合→メニュー内のカーソルを上に移動させる。
（１０）メニューの表示中にテレビジョン受像機１の下部が所定の強さ未満の強さで１回叩かれた場合→メニュー内のカーソルを下に移動させる。
（１１）メニューの表示中にテレビジョン受像機１の左部が所定の強さ未満の強さで１回叩かれた場合→メニュー内のカーソルを左に移動させる。
（１２）メニューの表示中にテレビジョン受像機１の右部が所定の強さ未満の強さで１回叩かれた場合→メニュー内のカーソルを右に移動させる。
【００３７】
（１３）メニューの表示中にテレビジョン受像機１の上部が所定の強さ以上の強さで１回叩かれた場合→メニュー内のカーソルによる選択が決定されたと判断して、次の動作を実行する。
（１４）メニューの表示中にテレビジョン受像機１の下部が所定の強さ以上の強さで１回叩かれた場合→メニュー内のカーソルによる選択がキャンセルされたと判断して、次の動作を実行する。
【００３８】
このような規定は、テレビジョン受像機１の動作を制御するためのプログラムや各種データとして、記憶装置５３に予め記憶されている。本実施形態では、ＣＰＵ５４は、このような規定に従って、テレビジョン受像機１が叩かれると、そのとき（叩かれる直前）のテレビジョン受像機１の動作状態と、その叩かれた場所及び叩かれた回数と叩かれた強さに対応する、テレビジョン受像機１の動作を実行する。
【００３９】
図３は、上記テレビジョン受像機１のテレビジョン受像機１が叩かれたときの動作フローチャートを示す。ユーザによりテレビジョン受像機１（受像機本体１０）が叩かれると（＃１でＹＥＳ）、ＣＰＵ５４は、加速度センサ１４ａ〜１４ｄの検出出力に基いて、テレビジョン受像機１の叩かれた場所、及び叩かれた回数と叩かれた強さを判断する（＃２）。
【００４０】
そして、ＣＰＵ５４は、その判断結果、すなわち、テレビジョン受像機１の叩かれた場所、及びその叩かれた回数と叩かれた強さに応じて、テレビジョン受像機１の動作を実行する（＃３）。例えば、テレビジョン受像機１の電源がオフ（スタンバイ状態）のときに、テレビジョン受像機１の上部が１回叩かれた場合には、ＣＰＵ５４は、テレビジョン受像機１の電源をオンにし、前回電源がオフにされるときに受信していたチャンネルのテレビジョン信号を受信して、そのチャンネルのテレビジョン放送の映像を表示すると共に音声を出力する、という動作を実行する。
【００４１】
このような構成のテレビジョン受像機１によれば、テレビジョン受像機１（受像機本体１０）を叩くだけで、テレビジョン受像機１の各種動作を制御することができる。従って、リモコン２０が見当たらない場合など、リモコン２０を探し出して、リモコン２０を受像機本体１０に向けて、リモコン２０を操作する手間を省くことができ、利便性が向上する。特に、狭い部屋などで、ユーザの手の届く場所にテレビジョン受像機１が設置されている場合などに、より効果的である。
【００４２】
また、テレビジョン放送の映像の表示中にテレビジョン受像機１の上部が所定の強さ未満の強さで１回叩かれると、音量が上がると共に、テレビジョン放送の映像の表示中にテレビジョン受像機１の下部が所定の強さ未満の強さで１回叩かれると、音量が下がるようになっており、音量の上下と叩く場所の上下とが対応している。従って、ユーザは、直感的に、テレビジョン受像機１の上部又は下部を叩いて、音量を調整することができ、利便性が向上する。
【００４３】
また、テレビジョン放送の映像の表示中にテレビジョン受像機１の左部が１回叩かれると、受信チャンネルが次に小さいチャンネルに切換えられると共に、テレビジョン放送の映像の表示中にテレビジョン受像機１の右部が１回叩かれると、受信チャンネルが次に大きいチャンネルに切換えられるようになっており、一般的なテレビ番組表におけるチャンネルの左右の並びと叩く場所の左右とが対応している。従って、ユーザは、直感的に、テレビジョン受像機１の左部又は右部を叩いて、受信チャンネルを切換えることができ、利便性が向上する。
【００４４】
なお、本発明は、上記実施形態の構成に限られず、種々の変形が可能である。例えば、テレビジョン受像機はリモコンを備えていなくてもよい。この場合、テレビジョン受像機は、受像機本体そのものとなる。また、テレビジョン受像機の叩かれた回数や叩かれた強さ、テレビジョン受像機の動作状態に係らず、テレビジョン受像機の叩かれた場所だけに応じて、テレビジョン受像機の各種動作を制御するようにしてもよい。
【００４５】
また、加速度センサの設置位置は、テレビジョン受像機の右上、右下、左上、左下の４箇所に限られず、それ以外の箇所に設置されていてもよい。また、テレビジョン受像機の叩かれる場所は、上部、下部、左部、右部の４箇所に限られず、それ以外の場所（例えば、左上部（上部の左端部）、上部の左端と真中との中間部、上部の真中部、上部の真中と右端との中間部、右上部（上部の右端部））であってもよい。すなわち、テレビジョン受像機の上部、下部、左部、右部の４箇所に限られず、それ以外の場所が叩かれたことを判断して、その叩かれた場所に応じて、テレビジョン受像機の各種動作を制御するようにしてもよい。また、加速度センサの設置個数は、４つに限られず、２つ以上であればよい。２つ以上の加速度センサがテレビジョン受像機に設置されていれば、テレビジョン受像機の叩かれた場所を判断することが可能である。
【符号の説明】
【００４６】
１    テレビジョン受像機
１０    受像機本体
１１    リモコン受光部
１２    映像出力装置
１３    音声出力装置
１４ａ、１４ｂ、１４ｃ、１４ｄ    加速度センサ
１５    電気回路部
１６    筺体
１６ａ    正面壁
１６ｏ    映像出力用の開口
２０    リモコン
５１    チューナ
５２    デコーダ
５３    記憶装置
５４    ＣＰＵ
【図１】
2010273113.tif 000003
【図２】
2010273113.tif 000004
【図３】
2010273113.tif 000005